(57)【要約】【課題】  サービスマンモード移行時に自動的に通常（標準）画面表示に切り替わるようにしてサービスマンの手間を減らす事。【解決手段】  画像形成装置のメンテナンスや諸設定を行なうサービスマンが動作確認を行なう為に、ユーザーの設定に関わらず自由に全ての機能が使え、かつ課金問題にならないようにカウントアップがされない動作モードであるサービスマンモードに移行する場合、移行前に該簡易画面が表示されていても自動的に該標準画面に移行することを特徴とする。【選択図】    図１
2007079391.tif 000002
【特許請求の範囲】
【請求項１】
表示素子を用いて設定された転写紙の給紙カセット情報等のコピー動作に関する機能の情報を表示する表示手段と、
該表示手段の表示面上に透明シート状のマトリクスタッチスイッチとして重ねられ、表面がタッチされた時にそのタッチ位置を検知するタッチ位置検知手段と、
該手段による検知位置に応じた機能を設定する機能設定手段と、
前記表示手段にいくつかの基本となる限られた機能を設定可能にする簡易画面と該簡易画面で設定可能な機能を含む全ての機能を設定可能な標準画面とを表示させる画面表示制御手段と、
その簡易画面と標準画面とを切り換える画面切換手段とを備えた画像形成装置において、
該画像形成装置のメンテナンスや諸設定を行なうサービスマンが動作確認を行なう為に、ユーザーの設定に関わらず自由に全ての機能が使え、かつ課金問題にならないようにカウントアップがされない動作モードであるサービスマンモードに移行する場合、移行前に該簡易画面が表示されていても自動的に該標準画面に移行することを特徴とする画像形成装置。
【請求項２】
請求項１の画像形成装置において、サービスマンモードに移行する際に該簡易画面が表示されている状態から自動的に標準画面の表示に切り替わった場合に、サービスマンモードから通常モードに戻った時点で自動的に簡易画面の表示に切り替わることを特徴とする画像形成装置。
【請求項３】
表示素子を用いて設定された転写紙の給紙カセット情報等のコピー動作に関する機能の情報を表示する表示手段と、
該表示手段の表示面上に透明シート状のマトリクスタッチスイッチとして重ねられ、表面がタッチされた時にそのタッチ位置を検知するタッチ位置検知手段と、
該手段による検知位置に応じた機能を設定する機能設定手段と、
前記表示手段にいくつかの基本となる限られた機能を設定可能にする簡易画面と該簡易画面で設定可能な機能を含む全ての機能を設定可能な標準画面とを表示させる画面表示制御手段と、
その簡易画面と標準画面とを切り換える画面切換手段とを備えた画像形成装置において、
該画像形成装置のメンテナンスや諸設定を行なうサービスマンが動作確認を行なう為に、ユーザーの設定に関わらず自由に全ての機能が使え、かつ課金問題にならないようにカウントアップがされない動作モードであるサービスマンモードに移行する場合、移行前に該簡易画面が表示されていても自動的に該標準画面に移行することを特徴とする画像形成装置の制御方法。
【請求項４】
請求項３の画像形成装置の制御方法において、サービスマンモードに移行する際に該簡易画面が表示されている状態から自動的に標準画面の表示に切り替わった場合に、サービスマンモードから通常モードに戻った時点で自動的に簡易画面の表示に切り替わることを特徴とする画像形成装置の制御方法。
【請求項５】
表示素子を用いて設定された転写紙の給紙カセット情報等のコピー動作に関する機能の情報を表示する表示手段と、
該表示手段の表示面上に透明シート状のマトリクスタッチスイッチとして重ねられ、表面がタッチされた時にそのタッチ位置を検知するタッチ位置検知手段と、
該手段による検知位置に応じた機能を設定する機能設定手段と、
前記表示手段にいくつかの基本となる限られた機能を設定可能にする簡易画面と該簡易画面で設定可能な機能を含む全ての機能を設定可能な標準画面とを表示させる画面表示制御手段と、
その簡易画面と標準画面とを切り換える画面切換手段とを備えた画像形成装置において、
該画像形成装置のメンテナンスや諸設定を行なうサービスマンが動作確認を行なう為に、ユーザーの設定に関わらず自由に全ての機能が使え、かつ課金問題にならないようにカウントアップがされない動作モードであるサービスマンモードに移行する場合、移行前に該簡易画面が表示されていても自動的に該標準画面に移行することを特徴とする画像形成装置の制御プログラム。
【請求項６】
請求項５の画像形成装置の制御プログラムにおいて、サービスマンモードに移行する際に該簡易画面が表示されている状態から自動的に標準画面の表示に切り替わった場合に、サービスマンモードから通常モードに戻った時点で自動的に簡易画面の表示に切り替わることを特徴とする画像形成装置の制御プログラム。
【発明の詳細な説明】
【技術分野】
【０００１】
本発明は、複写機、複合機などに好適な画像形成装置、画像形成装置の制御方法、及び、画像形成装置の制御プログラムに関する。
【背景技術】
【０００２】
画像形成装置において、いくつかの基本となる限られた機能を設定可能にする簡易画面と該簡易画面で設定可能な機能を含む全ての機能を設定可能な標準画面とを切り換える画面切換手段を備えた画像形成装置においてでも、サービスマンがサービスマンモードで動作を確認する場合は一部の機能を確認すればよいわけではないので必ず通常画面である必要がある。
【０００３】
また、サービスマンがサービスマンモードにも動作の確認を行なうのは基本的にユーザーが利用している画像形成装置である為、確認後はユーザー設定項目に関してはサービスマンが使う前の設定に戻す必要がある。
【０００４】
本願発明に関連する公知技術としては、特許文献１を挙げることができる。
【特許文献１】特開平08-307570号
【発明の開示】
【発明が解決しようとする課題】
【０００５】
しかし、従来は、サービスマンモードから通常モードに戻る際にいちいちサービスマンモードに移行する前の画面表示状態（簡易または通常）に戻す手間がかかり、逆に、通常モードからサービスマンモードに移行する場合にいちいちサービスマンモードのための通常（標準）画面に画面表示状態を切り替える手間がかかるという問題点があった。
【０００６】
本発明は係る事情に鑑みてなされたものであり、サービスマンモード移行時に自動的に通常（標準）画面表示に切り替わるようにしてサービスマンの手間を減らす事を目的とする。また、該画像形成装置においてサービスマンが使用する前の画面が簡易画面であった場合に、サービスマンモード終了時に簡易画面に自動的に切り替わることで、サービスマンが画面表示を戻し忘れてユーザーに迷惑をかけることを防止することを目的とする。
【課題を解決するための手段】
【０００７】
請求項１に記載の画像形成装置は、表示素子を用いて設定された転写紙の給紙カセット情報等のコピー動作に関する機能の情報を表示する表示手段と、該表示手段の表示面上に透明シート状のマトリクスタッチスイッチとして重ねられ、表面がタッチされた時にそのタッチ位置を検知するタッチ位置検知手段と、該手段による検知位置に応じた機能を設定する機能設定手段と、前記表示手段にいくつかの基本となる限られた機能を設定可能にする簡易画面と該簡易画面で設定可能な機能を含む全ての機能を設定可能な標準画面とを表示させる画面表示制御手段と、その簡易画面と標準画面とを切り換える画面切換手段とを備えた画像形成装置において、該画像形成装置のメンテナンスや諸設定を行なうサービスマンが動作確認を行なう為に、ユーザーの設定に関わらず自由に全ての機能が使え、かつ課金問題にならないようにカウントアップがされない動作モードであるサービスマンモードに移行する場合、移行前に該簡易画面が表示されていても自動的に該標準画面に移行することを特徴とする。
【０００８】
請求項２に記載の画像形成装置は、請求項１の画像形成装置において、サービスマンモードに移行する際に該簡易画面が表示されている状態から自動的に標準画面の表示に切り替わった場合に、サービスマンモードから通常モードに戻った時点で自動的に簡易画面の表示に切り替わることを特徴とする。
【０００９】
請求項３に記載の画像形成装置の制御方法は、表示素子を用いて設定された転写紙の給紙カセット情報等のコピー動作に関する機能の情報を表示する表示手段と、該表示手段の表示面上に透明シート状のマトリクスタッチスイッチとして重ねられ、表面がタッチされた時にそのタッチ位置を検知するタッチ位置検知手段と、該手段による検知位置に応じた機能を設定する機能設定手段と、前記表示手段にいくつかの基本となる限られた機能を設定可能にする簡易画面と該簡易画面で設定可能な機能を含む全ての機能を設定可能な標準画面とを表示させる画面表示制御手段と、その簡易画面と標準画面とを切り換える画面切換手段とを備えた画像形成装置において、該画像形成装置のメンテナンスや諸設定を行なうサービスマンが動作確認を行なう為に、ユーザーの設定に関わらず自由に全ての機能が使え、かつ課金問題にならないようにカウントアップがされない動作モードであるサービスマンモードに移行する場合、移行前に該簡易画面が表示されていても自動的に該標準画面に移行することを特徴とする。
【００１０】
請求項４に記載の画像形成装置の制御方法は、請求項３の画像形成装置の制御方法において、サービスマンモードに移行する際に該簡易画面が表示されている状態から自動的に標準画面の表示に切り替わった場合に、サービスマンモードから通常モードに戻った時点で自動的に簡易画面の表示に切り替わることを特徴とする。
【００１１】
請求項５に記載の画像形成装置の制御プログラムは、表示素子を用いて設定された転写紙の給紙カセット情報等のコピー動作に関する機能の情報を表示する表示手段と、該表示手段の表示面上に透明シート状のマトリクスタッチスイッチとして重ねられ、表面がタッチされた時にそのタッチ位置を検知するタッチ位置検知手段と、該手段による検知位置に応じた機能を設定する機能設定手段と、前記表示手段にいくつかの基本となる限られた機能を設定可能にする簡易画面と該簡易画面で設定可能な機能を含む全ての機能を設定可能な標準画面とを表示させる画面表示制御手段と、その簡易画面と標準画面とを切り換える画面切換手段とを備えた画像形成装置において、該画像形成装置のメンテナンスや諸設定を行なうサービスマンが動作確認を行なう為に、ユーザーの設定に関わらず自由に全ての機能が使え、かつ課金問題にならないようにカウントアップがされない動作モードであるサービスマンモードに移行する場合、移行前に該簡易画面が表示されていても自動的に該標準画面に移行することを特徴とする。
【００１２】
請求項６に記載の画像形成装置の制御プログラムは、請求項５の画像形成装置の制御プログラムにおいて、サービスマンモードに移行する際に該簡易画面が表示されている状態から自動的に標準画面の表示に切り替わった場合に、サービスマンモードから通常モードに戻った時点で自動的に簡易画面の表示に切り替わることを特徴とする。
【発明の効果】
【００１３】
請求項１、３、５に係る発明によれば、サービスマンモードに移行時に自動的に通常画面となるためにサービスマンが手動で切り替える手間が省け作業時間が減る為、ユーザーが装置を利用できないダウンタイムを短縮することができる効果が得られる。
【００１４】
請求項２、４、６に係る発明によれば、サービスマンモードに移行前が簡易画面であった場合に、サービスマンモード終了時に自動的に簡易画面となるためにサービスマンが手動で切り替える手間、サービスマンが移行前の画面種類を記憶する手間、終了後に画面を確認する手間が省け作業時間が減る為、ユーザーが装置を利用できないダウンタイムを短縮することができる効果が得られる。
【発明を実施するための最良の形態】
【００１５】
以下、添付図面を参照しながら、本発明を実施するための最良の形態について説明する。
【００１６】
図１に、本発明を実施するための最良の形態に係る画像形成装置の概略構成について示す。
【００１７】
図１において、自動原稿送り装置（以後ＡＤＦ）１にある、原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。一枚の原稿を給送完了により原稿枚数をカウントアップするカウント機能を有している。給送された原稿は読み取りユニット５０によってコンタクトガラス６上の原稿の画像データを読み取り後、読み取りが終了した原稿は、給送ベルト４及び排送ローラ５によって排出される。さらに、原稿セット検知７にて原稿台２に次の原稿が有ることを検知した場合、前原稿と同様にコンタクトガラス６上に給送される。
【００１８】
給送ローラ３、給送ベルト４、排送ローラ５は搬送モータ２６によって駆動される。第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、書き込みユニット５７からのレーザーによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。
【００１９】
その後、定着ユニット１７にて画像を定着させ、排紙ユニット１８によって後処理装置のフィニシャ１００に排出される。  後処理装置のフィニシャ１００は、本体の排紙ユニット１８によって搬送された転写紙を、通常排紙ローラ１０２方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５、１０７を経由して、ステープル台１０８に搬送する事ができる。
【００２０】
ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００２１】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００２２】
転写紙の両面に画像を作像する場合は、各給紙トレイ８〜１０から給紙され作像された転写紙を排紙トレイ１０４側に導かないで、経路切り替えの為の分岐爪１１２を上側にセットする事で、一旦両面給紙ユニット１１１にストックする。
【００２３】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
【００２４】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００２５】
第１トレイ８、第２トレイ９、第３トレイ１０にはそれぞれ設置された用紙の方向、サイズ、紙種、残量などのわかるセンサが取り付けられている。
【００２６】
図２は図１の画像形成装置が備える、メインコントローラを中心とした制御装置を図示したものである。
【００２７】
同図において、メインコントローラ２０は画像形成装置全体を制御する。メインコントローラ２０には、オペレータに対する表示、オペレータからの機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。各分散制御装置とメインコントローラ２０は必要に応じて機械の状態、動作司令のやりとりを行っている。また紙搬送等に必要なメインモータ２５、各種クラッチ２１〜２４も接続されている。機器の状態や設定内容は、３１のディスプレーに表示ユーザに伝わる。
【００２８】
図３は、通常画面モードにおける操作部３０を示した図である。操作部３０には、液晶タッチパネル３１、テンキー３２、クリア／ストップキー３３、プリントキー３４、簡単画面/通常画面切替キー３５、リセットキー３６、初期設定キー３７、詳細確認キー３８、予約キー３９があり、液晶タッチパネル３１には、各種機能キー及び画像形成装置の状態を示すメッセージなどが表示される。
【００２９】
オペレータが液晶タッチパネル３１に表示されたキーにタッチする事で、選択された機能を示すキーが黒く反転する。また、機能の詳細を指定しなければならない場合（例えばステープルの位置等）はキーにタッチする事で詳細機能の設定画面が表示される（図４）。このように、液晶タッチパネルは、ドット表示器を使用している為、その時の最適な表示をグラフィカルに行う事が可能である。
【００３０】
詳細確認キー３８を押すとそのとき表示されていたジョブに関する、詳細な情報が表示される。情報は「画像サイズ」「設定モード」「後処理」「濃度」「カラー設定」等ジョブ単体の情報である。
【００３１】
初期設定キー３９を押す事で、機械の初期状態を任意にカスタマイズする事が可能である。機械が収納している用紙サイズを設定したり、コピー機能のリセットキーを押したときに設定される状態を任意に設定可能である。また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００３２】
簡単画面/通常画面切替キー３５を押すと、通常画面モードであれば簡単画面モードへ、簡単画面モードであれば通常画面モードに切り替わる。図５は、簡単画面モードにおける操作部３０を示した図である。通常画面では詳細に設定する為に詳細設定画面に切り替わっていたが、簡単画面モードでは機能を限定した上で１画面で表示している。操作はシンプルでわかりやすくなるがこの状態では設定不可な機能も存在する。なお、簡単画面で表示される機能は初期設定キー３９を押して変更できる。
【００３３】
テンキー３２、クリア／ストップキー３３、プリントキー３４はユーザーの通常操作に利用されるが、サービスマンモードはこれらのキーをある決まった順序で押していく事でサービスマンモードに移行することが可能である。
【００３４】
図１に戻り、画像形成装置の原稿読み取りから、画像の書き込みまでを説明する。
【００３５】
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジ第２キャリッジとが２対１の相対速度で機械的に操作される。この光学走査系は、図示しないスキャナ駆動モータにて駆動される。原稿画像は、ＣＣＤイメージセンサ５４によって読み取られ、電気信号に変換されて処理される。  書き込みユニット５７はレーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。  書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００３６】
図６は画像処理ユニット（ＩＰＵ）４９内部構成のブロック図である。
【００３７】
同図において、露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。その後、印字合成部７１を介して入力した画像データを変倍回路７６へ、或いは、画像メモリコントローラ６５へ切り替えて供給するものであり、変倍回路７７を経由した画像信号は変倍率に合せて拡大縮小され、書き込みユニット５７に送られる。
【００３８】
一方、画像メモリコントローラ６５とセレクタ６４間は、双方向に画像信号を入出力可能な構成となっている。図６には特に明示していないが、ＩＰＵ４９には読み取りユニット５０から入力される画像データ以外にもI/Oポート６７、電話回線通信制御ユニット６８を介して外部から供給される画像データ、例えばパーソナルコンピュータ等のデータ処理装置から入力したデータも処理できるよう、複数のデータへの入出力の選択を行なう機能を有しているものとする。
【００３９】
Ｉ／Ｏポート６７を介して画像形成装置をネットワーク接続しており、その通信手段には、インターネットの標準プロトコルとして普及されているＴＣＰ／ＩＰ通信プロトコルを用いるなどが考えられる。また、本発明では図５のようなネットワーク構成を持ち、ネットワーク接続された各画像形成装置の機械構成情報や動作状況、もしくはリモート出力コマンド等の制御コマンド、設定コマンドの送受信を行なっている。
【００４０】
電話回線通信制御ユニット６８は付属の図示しないアンテナを介して無線通信網より得られるアナログ情報をデジタル化する、もしくは、画像メモリ６６やＨＤ７５、ＲＯＭ６９、ＲＡＭ７０、ＮＶ−ＲＡＭ７４に記憶されているデータをアナログ情報に変換し無線通信網を経由して、所定の携帯端末に送信する機能をもつ。これにより、一般の電話と画像形成装置とのデータの送受信を可能にしている。
【００４１】
また、画像メモリコントローラ６５等への設定や、読み取り部５０書き込み部５７の制御を行うＣＰＵ６８、及びそのプログラムやデータを格納するＲＯＭ６９、ＲＡＭ７０、ＮＶ−ＲＡＭ７４を備えている。更にＣＰＵ６８は、メモリコントローラ６５を介して、画像メモリ６６のデータの書き込み、読み出しが行える。原稿画像で画像メモリコントローラー６５へ送られた画像は、画像メモリコントローラ内にある画像圧縮装置によって画像データを圧縮した後、画像メモリ６６に送られる。ここで画像圧縮する理由は、最大画像サイズ分の２５６階調のデータをそのまま画像メモリ６６に書き込む事も可能であるが、１枚の原稿画像で画像メモリを大変多く使用する。画像圧縮を行う事で、限られた画像メモリを有効に利用できる。また、一度に多くの原稿画像データを記憶することが出来るため、ソート機能として、貯えられた原稿画像イメージデータをページ順に出力する事ができる。画像メモリ６６の画像はＣＰＵ６８からアクセス可能な構成となっている。
【００４２】
このため画像メモリの内容を加工することが可能であり、例えば画像の間引き処理、画像の切り出し処理等が行える。加工には、メモリコントローラー６５のレジスタにデータを書き込む事で画像メモリの処理を行う事ができる。加工された画像は再度画像メモリに保持される。画像メモリー６６は、処理を行う画像データの大きさにより複数のエリアに分割して画像データの入出力を同時に実行可能な構成をとっている。各分割したエリアに画像データの入力、出力をそれぞれ並列に実行可能にするためにメモリコントローラとのインターフェースにリード用とライト用の二組のアドレス・データ線で接続されている。
【００４３】
画像メモリ６６は、多くの画像データを収納するためハードディスクを別に設けることもある。ハードディスクを用いる事により、外部電源が不用で永久的に画像を保持できる特徴もある。複数の定型の原稿（フォーマット原稿）をスキャナで読み込み保持するためには、このハードディスクが用いられるのが一般的である。
【００４４】
書き込み、読み出しには本体の作像やスキャナからの画像書き込みに対し処理速度の差を吸収する為に、画像メモリに一旦記憶され処理される。また画像記憶装置からのデータを書き込みユニット５７に送る際は、画像メモリ６６に一旦記憶し、書き込みユニット５７に送ることになる。このように画像を記憶する装置の画像メモリ６６、ＨＤ７５、スキャナ画像、書き込みユニットに送る画像の入出力は全てメモリコントローラー６５によって画像パスを決められる。
【００４５】
請求項１から請求項６についての実施例について、以上説明した構成・機能を有した画像形成装置で説明する。
【００４６】
サービスマンが諸設定/調査を行なったのちに動作確認を行なう為に規定操作でサービスマンモードへと移行する。
【００４７】
その場合、図７の手順に示すように、サービスマンモード移行操作が行われると、まず、サービスマンモード移行前に簡単画面であったかを確認し（判断Ｓ１０１）、簡単画面であった場合には（判断Ｓ１０１のＹｅｓ）、通常画面に自動移行すると共に、移行前が簡単画面であったことを記憶した上で（処理Ｓ１０２）、サービスマンモードへの移行を完了する。判断Ｓ１０１において、簡単画面でない（通常画面である）場合には（判断Ｓ１０１のＮｏ）、そのまま通常画面を維持すると共に、移行前が通常画面であったことを記憶した上で（処理Ｓ１０３）、サービスマンモードへの移行を完了する（請求項１、３、５）。
【００４８】
また、図８の手順に示すように、サービスマンモード終了操作が行われると、まず、図７の処理Ｓ１０２またはＳ１０３でサービスマンモードへの移行時に記憶した画面種類を確認し（判断Ｓ２０１）、「簡単画面」である場合には、「簡単画面」に移行した上で（処理Ｓ２０２）、サービスマンモードからの通常モードへの移行を完了する。「通常画面」である場合には、「通常画面」に移行した上で（処理Ｓ２０３）、サービスマンモードから通常モードへの移行を完了する。（請求項２、４、６）
【００４９】
なお、以上本発明を実施するための最良の形態について説明したが、本発明は上記のものに限定されるものではなく、その要旨を逸脱しない範囲で種々変更可能であることはいうまでもない。
【図面の簡単な説明】
【００５０】
【図１】本発明を実施するための最良の形態に係る画像形成装置の概略構成について示す図である。
【図２】図１の画像形成装置が備える、メインコントローラを中心とした制御装置を示す図である。
【図３】本発明を実施するための最良の形態に係る画像形成装置の操作部における表示例について示す図である。
【図４】本発明を実施するための最良の形態に係る画像形成装置の操作部における表示例について示す図である。
【図５】本発明を実施するための最良の形態に係る画像形成装置の操作部における表示例について示す図である。
【図６】本発明を実施するための最良の形態に係る無画像形成装置の画像処理ユニット（ＩＰＵ）内部構成のブロック図である。
【図７】本発明を実施するための最良の形態に係る画像形成装置における制御手順について示すフローチャートである。
【図８】本発明を実施するための最良の形態に係る画像形成装置における制御手順について示すフローチャートである。
【符号の説明】
【００５１】
１  ＡＤＦ
２  原稿台
【図１】
2007079391.tif 000003
【図２】
2007079391.tif 000004
【図３】
2007079391.tif 000005
【図４】
2007079391.tif 000006
【図５】
2007079391.tif 000007
【図６】
2007079391.tif 000008
【図７】
2007079391.tif 000009
【図８】
2007079391.tif 000010